【手続補正書】
【提出日】平成19年5月1日(2007.5.1)
【手続補正１】
【補正対象書類名】明細書
【補正対象項目名】特許請求の範囲
【補正方法】変更
【補正の内容】
【特許請求の範囲】
【請求項１】  下記式(Ｉ)の化合物：
【化１】
2002544137.tif 000001
式中、
Ｒ1およびＲ2（これらは同じでも異なっていてもよい）は、各々低級アルキル、アルケニル、またはアルキニル基を表し；
Ｒ3は、αまたはβ立体配置をもつメチル基を表し；
Ｒ4は水素原子またはエーテル化もしくはエステル化基を表し；
Ｒ5は水素原子、ヒドロキシル基または低級アルコキシ基を表し；
Ｘは、基ＯＲ4（ここでＲ4は上記で定義されたとおり）または基ＮＲ6Ｒ7を表し、ここでＲ6は、水素原子、脂肪族もしくは芳香環含有脂肪族有機基、またはアシル基であってカルボニル基によって窒素原子と連結された脂肪族有機基、芳香環含有脂肪族有機基またはアリール有機基を含むものを表し、Ｒ7は水素原子または低級アルキル基であり；
Ｙは、場合によってヒドロキシル、エーテル化ヒドロキシルまたはエステル化ヒドロキシル基で置換された低級アルキレン、アルケニレン、またはアルキニレン基を表し；そして
点線は、二重結合が１６(１７)位に、および／または６(７)および８(９)位または７(８)位のいずれかに存在してもよいことを示している。
【請求項２】  Ｒ1およびＲ2がそれぞれ別個にＣ1-6アルキル基並びにＣ2-7アルケニルおよびアルキニル基から選ばれる請求項１に記載の式(Ｉ)の化合物。
【請求項３】  Ｒ1およびＲ2が直鎖基である請求項２に記載の式(Ｉ)の化合物。
【請求項４】  Ｒ1およびＲ2がメチル、エチル、およびプロパルギル基から選ばれる請求項２に記載の式(Ｉ)の化合物。
【請求項５】  Ｒ1が水素原子、シリル基、Ｃ1-6アルキル基であって場合によって１つまたは２つ以上の酸素原子が介在しているか、または低級シクロアルキル基で置換された基、環式エーテル基、Ｃ1-6アルカノイル基、アロイル基、Ｃ1-6アルカンスルホニル基もしくはハロゲン化メタンスルホニル基、またはアレンスルホニル基である請求項１〜４のいずれかに記載の式(Ｉ)の化合物。
【請求項６】  Ｒ4が水素原子である請求項５に記載の式(Ｉ)の化合物。
【請求項７】  Ｒ4が代謝的に不安定な基または低級アルキル基である請求項５に記載の式(Ｉ)の化合物。
【請求項８】  Ｒ5が水素原子またはメトキシ基である請求項１〜７のいずれかに記載の式(Ｉ)の化合物。
【請求項９】  Ｘがヒドロキシル基または基ＮＲ6Ｒ7を表し、式中、
Ｒ6が、Ｃ1-6アルキル基、Ｃ6-12炭素環式アリールＣ1-4アルキル基、Ｃ1-6アルカノイル基、Ｃ6-12炭素環式アリールＣ2-5アルカノイル基、Ｃ7-13炭素環式アロイル基、または１つまたは２つ以上のハロ、Ｃ1-4アルキル、Ｃ1-4アルコキシ、Ｃ1-4アルカノイル、Ｃ1-4アルキルアミノ、ジ（Ｃ1-4アルキル）アミノ、ニトロ、カルバモイルまたはＣ1-4アルカノイルアミノ置換基によって置換された先行するいずれかの基であり；
Ｒ7が水素原子またはＣ1-6アルキル基である請求項１〜８のいずれかに記載の式(Ｉ)の化合物。
【請求項１０】  Ｘがヒドロキシル、アミノ、メチルアミノ、エチルアミノ、Ｎ−エチル−Ｎ−メチルアミノ、アセチルアミノ、ベンズアミドまたはフェニルアセチルアミド基である請求項９に記載の式(Ｉ)の化合物。
【請求項１１】  Ｙが７つまでの炭素原子および３つまでの多重結合を含む請求項１〜１０のいずれかに記載の式(Ｉ)の化合物。
【請求項１２】  Ｙが直鎖Ｃ2-6基である請求項１１に記載の式(Ｉ)の化合物。
【請求項１３】  Ｙが、基−Ｃ(Ｒ1)(Ｒ2)Ｘに対してα、β、またはγ位で、または基Ｙに存在する任意の三重結合に対してα位でヒドロキシル、エーテル化ヒドロキシルまたはエステル化ヒドロキシル基によって置換される請求項１〜１２のいずれかに記載の式(Ｉ)の化合物。
【請求項１４】  Ｙが、エチレン、トリメチレン、テトラメチレン、ビニレン、ブタ−１,３−ジエニレン、プロパ−２−イニレンおよび１−ヒドロキシプロパ−２−イニレンから選ばれる請求項１１に記載の式(Ｉ)の化合物。
【請求項１５】  Ｒ1およびＲ2（これらは同じでも異なっていてもよい）の各々が低級アルキルを表し；Ｒ5が水素原子を表し；そして、Ｘが基ＮＲ6Ｒ7を表し、ここでＲ7が水素である請求項１に記載の式(Ｉ)の化合物。
【請求項１６】  下記の化合物：
２５−アセチルアミノ−３−ヒドロキシ−２４−ホモ−１９−ノル−コレスタ−１,３,５(１０),１６−テトラエン；
２５−エチルアミノ−３−ヒドロキシ−２４−ホモ−１９−ノル−コレスタ−１,３,５(１０),１６−テトラエン；
２５−メチルアミノ−３−ヒドロキシ−２４−ホモ−１９−ノル−コレスタ−１,３,５(１０),１６−テトラエン；
２５−ジメチルアミノ−３−ヒドロキシ−２４−ホモ−１９−ノル−コレスタ−１,３,５(１０),１６−テトラエン；
２５−（Ｎ−エチル−Ｎ−メチルアミノ−３−ヒドロキシ−２４−ホモ−１９−ノル−コレスタ−１,３,５(１０),１６−テトラエン；
２５−アセチルアミノ−３−メトキシ−２４−ホモ−１９−ノル−コレスタ−１,３,５(１０),１６−テトラエン；
２５−アセチルアミノ−３−エトキシ−２４−ホモ−１９−ノル−コレスタ−１,３,５(１０),１６−テトラエン；
２５−アセチルアミノ−３−イソブトキシ−２４−ホモ−１９−ノル−コレスタ−１,３,５(１０),１６−テトラエン；
２５−ベンズアミド−３−ヒドロキシ−２４−ホモ−１９−ノル−コレスタ−１,３,５(１０),１６−テトラエン；
２５−フェニルアセチルアミノ−３−ヒドロキシ−２４−ホモ−１９−ノル−コレスタ−１,３,５(１０),１６−テトラエン；
２５−アセチルアミノ−３−ヒドロキシ−２４−ホモ−１９−ノル−コレスタ−１,３,５(１０)−トリエン；
３,２４−ジヒドロキシ−２４−プロパルギル−１９−２６,２７−トリスノル−コレスタ−１,３,５(１０)−トリエン；
２−メトキシ−３,２４−ジヒドロキシ−２４−プロパルギル−１９,２６,２７−トリスノル−コレスタ−１,３,５(１０)−トリエン；
３,２４−ジヒドロキシ−２０−エピ−２４−プロパルギル−１９,２６,２７−トリスノル−コレスタ−１,３,５(１０)−トリエン；
３,２４−ジヒドロキシ−２４,２４−ビスプロパルギル−１９−ノル−コラ−１,３,５(１０),２２−テトラエン；
２−メトキシ−３,２４−ジヒドロキシ−２４,２４−ビスプロパルギル−１９−ノル−コラ−１,３,５(１０),２２−テトラエン；
３,２４−ジヒドロキシ−２０−エピ−２４,２４−ビスプロパルギル−１９−ノル−コラ−１,３,５(１０),２２−テトラエン；
３−ヒドロキシ−２５−アミノ−２６,２７−ビスホモ−１９−ノル−コレスタ−１,３,５(１０)−トリエン−２３−イン；
２−メトキシ−３−ヒドロキシ−２５−アミノ−２６,２７−ビスホモ−１９−ノル−コレスタ−１,３,５(１０)−トリエン−２３−イン；
３−ヒドロキシ−２０−エピ−２５−アミノ−２６,２７−ビスホモ−１９−ノル−コレスタ−１,３,５(１０)−トリエン−２３−イン；
３−ヒドロキシ−２５−アミノ−２６,２７−ビスホモ−１９−ノル−コレスタ−１,３,５(１０)−トリエン；
２−メトキシ−３−ヒドロキシ−２５−アミノ−２６,２７−ビスホモ−１９−ノル−コレスタ−１,３,５(１０)−トリエン；
３−ヒドロキシ−２０−エピ−２５−アミノ−２６,２７−ビスホモ−１９−ノル−コレスタ−１,３,５(１０)−トリエン；
３−ヒドロキシ−２５−アセチルアミノ−２６,２７−ビスホモ−１９−ノル−コレスタ−１,３,５(１０)−トリエン−２３−イン；
２−メトキシ−３−ヒドロキシ−２５−アセチルアミノ−２６,２７−ビスホモ−１９−ノル−コレスタ−１,３,５(１０)−トリエン−２３−イン；
３−ヒドロキシ−２０−エピ−２５−アセチルアミノ−２６,２７−ビスホモ−１９−ノル−コレスタ−１,３,５(１０)−トリエン−２３−イン；
３,２２−ジヒドロキシ−２５−アミノ−２６,２７−ビスホモ−１９−ノル−コレスタ−１,３,５(１０)−トリエン−２３−イン；
２−メトキシ−３,２２−ジヒドロキシ−２５−アミノ−２６,２７−ビスホモ−１９−ノル−コレスタ−１,３,５(１０)−トリエン−２３−イン；
３,２２−ジヒドロキシ−２０−エピ−２５−アミノ−２６,２７−ビスホモ−１９−ノル−コレスタ−１,３,５(１０)−トリエン−２３−イン；
２−メトキシ−３−ヒドロキシ−２４−ホモ−２５−アセチルアミノ−１９−ノル−コレスタ−１,３,５(１０),１６−テトラエン；
２−メトキシ−３−ヒドロキシ−２４−ホモ−２５−アミノ−１９−ノル−コレスタ−１,３,５(１０),１６−テトラエン；
２−メトキシ−３−ヒドロキシ−２５−アセチルアミノ−１９−ノル−コレスタ−１,３,５(１０),１６−テトラエン；
２−メトキシ−３−ヒドロキシ−２５−アミノ−１９−ノル−コレスタ−１,３,５(１０),１６−テトラエン；
３−ヒドロキシ−２４−ホモ−２５−アセチルアミノ−１９−ノル−コレスタ−１,３,５(１０),６,８,１６−ヘキサエン；
３−ヒドロキシ−２４−ホモ−２５−アミノ−１９−ノル−コレスタ−１,３,５(１０),６,８,１６−ヘキサエン；
３,２５−ジヒドロキシ−１９−ノル−コレスタ−１,３,５(１０)−トリエン−２３−イン；
３,２５−ジヒドロキシ−１９−ノル−コレスタ−１,３,５(１０)−トリエン；
２−メトキシ−３,２５−ジヒドロキシ−１９−ノル−コレスタ−１,３,５(１０)−トリエン−２３−イン；
３,２５−ジヒドロキシ−２０−エピ−１９−ノル−コレスタ−１,３,５(１０)−トリエン−２３−イン；
２−メトキシ−３,２５−ジヒドロキシ−１９−ノル−コレスタ−１,３,５(１０)−トリエン；
３,２５−ジヒドロキシ−２０−エピ−１９−ノル−コレスタ−１,３,５(１０)−トリエン；
３,２５−ジヒドロキシ−２４,２４ａ−ビスホモ−１９−ノル−コレスタ−１,３,５(１０),２２,２４（２４ａ）−ペンタエン；
２５−アミノ−３−ヒドロキシ−２０−エピ−２４−ホモ−１９−ノル−コレスタ−１,３,５(１０),１６−テトラエン；
２５−アセチルアミノ−３−ヒドロキシ−２０−エピ−２４−ホモ−１９−ノル−コレスタ−１,３,５(１０),１６−テトラエン；
２５−アミノ−３−ヒドロキシ−２０−エピ−１９−ノル−コレスタ−１,３,５(１０),１６−テトラエン；
２５−アセチルアミノ−３−ヒドロキシ−２０−エピ−２４−ホモ−１９−ノル−コレスタ−１,３,５(１０),１６−テトラエン；
３−ヒドロキシ−２４−ホモ−２５−アセチルアミノ−１９−ノル−コレスタ−１,３,５(１０),６,１６−ペンタエン；および
３−ヒドロキシ−２４−ホモ−２５−アミノ−１９−ノル−コレスタ−１,３,５(１０),６,１６−ペンタエン。
【請求項１７】  腫瘍性疾患の処置で；創傷治癒促進剤として；火傷の処置で；骨疾患、自己免疫疾患、宿主移植片反応、移植拒絶、炎症性疾患、新形成または過形成、筋障害、腸症、または脊椎炎性心疾患の治療で；上皮小体ホルモンの抑制で；皮膚疾患、高血圧、慢性関節リウマチ、乾癬性関節炎、二次性上皮小体機能亢進、喘息、認識障害または老人性痴呆の治療で；人間または動物の受胎受精制御で；血液凝固を伴う疾患の処置で；または血清コレステロールの減少に使用する医薬の製造のための請求項１〜１６のいずれかに記載の式(Ｉ)の化合物の使用。
【請求項１８】  １つまたは２つ以上の生理的に許容可能な担体または賦形剤との混合物として、請求項１〜１６のいずれかに記載の式(Ｉ)の化合物を含む医薬組成物。